【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
ディジタルコンテンツ配信システムに用いられるコンテンツプッシャーであって、
前記ディジタルコンテンツ配信システムは、複数のネットワークノードを備えており、該複数のネットワークノードの各々は、所定の直線的コンテンツオブジェクトの順序付きプレイバックを要求し、
当該コンテンツプッシャーは、
少なくとも２つのグループのパッケージに分割された直線的コンテンツオブジェクトを受け、第１グループのパッケージは第２グループのパッケージよりも前の順序で発生し、
前記第１グループのパッケージが有する前記直線的コンテンツオブジェクトのプレイバックを第１ネットワークノードが要求することなしに、前記第１グループのパッケージを前記第１ネットワークノードに分配し、
前記第２グループのパッケージを第２ネットワークノードに分配する、
コンテンツプッシャー。
【請求項２】
更に、前記第１グループのパッケージ及び前記第２グループのパッケージの少なくとも１つを上書き可能に指定する、請求項１に記載のコンテンツプッシャー。
【請求項３】
更に、前記第１グループのパッケージ及び前記第２グループのパッケージの少なくとも１つが上書き可能であることを示す指定メッセージを、前記第１ネットワークノード及び前記第２ネットワークノードの対応する少なくとも１つに分配する、請求項１又は２に記載のコンテンツプッシャー。
【請求項４】
更に、前記直線的コンテンツオブジェクトのプレイバックの要求の減少数の指示を受け、前記直線的コンテンツオブジェクトのプレイバックの要求の減少数の前記指示に応じて前記指定メッセージが分配される、請求項３に記載のコンテンツプッシャー。
【請求項５】
更に、コンテンツオブジェクトパッケージが分配されるべきネットワークノードを識別する、請求項１〜４のいずれか一項に記載のコンテンツプッシャー。
【請求項６】
ディジタルコンテンツ配信システムに用いられるコンテンツプッシャーであって、
前記ディジタルコンテンツ配信システムのネットワークノードの各々は、ネットワークノードによってアクセス可能な信頼レベルに関連付けられており、
前記コンテンツプッシャーが、前記第１ネットワークノード及び前記第２ネットワークノードの信頼レベル以上の信頼レベルを有する、請求項１〜５のいずれか一項に記載のコンテンツプッシャー。
【請求項７】
更に、前記第１グループのパッケージ及び前記第２グループのパッケージを、伝搬による分配によって分配する、請求項１〜６のいずれか一項に記載のコンテンツプッシャー。
【請求項８】
更に、前記ディジタルコンテンツ配信システムのネットワークノードによってアクセス可能なトラッキングファイルを、前記コンテンツオブジェクトに対して作成する、請求項１〜７のいずれか一項に記載のコンテンツプッシャー。
【請求項９】
前記トラッキングファイルは、前記コンテンツオブジェクトの１つ以上のグループのパッケージが分配されたネットワークノードに格納される、請求項８に記載のコンテンツプッシャー。
【請求項１０】
前記トラッキングファイルは、前記コンテンツオブジェクトに関連づけられたコンテンツ参照識別子ＣＲＩＤを、前記コンテンツオブジェクトの１つ以上のグループのパッケージが格納されるネットワークノードに関連づける、請求項８又は９に記載のコンテンツプッシャー。
【請求項１１】
更に、トラッキングファイルを格納するネットワークノードにＣＲＩＤを関連づけるトラッキングインデックスを生成する、請求項８〜１０に記載のコンテンツプッシャー。
【請求項１２】
更に、コンテンツオブジェクトのパッケージのグループの組み合わせを与える、請求項１〜１１のいずれか一項に記載のコンテンツプッシャー。
【請求項１３】
ディジタルコンテンツ配信システムにおいて、直線的コンテンツオブジェクトを公開する方法であって、前記ディジタルコンテンツ配信システムは、複数のネットワークノードを備えており、該複数のネットワークノードの各々は、所定の直線的コンテンツオブジェクトの順序付きプレイバックを要求し、
当該方法は、
コンテンツプッシャーにおいて、少なくとも２つのグループのパッケージに分割された直線的コンテンツオブジェクトを受けるステップであって、第１グループのパッケージが第２グループのパッケージよりも前の順序で発生する、ステップと、
前記第１グループのパッケージが有する前記直線的コンテンツオブジェクトのプレイバックを第１ネットワークノードが要求することなしに、前記第１グループのパッケージを前記第１ネットワークノードに分配するステップと、
前記第２グループのパッケージを第２ネットワークノードに分配するステップと、
を備える方法。
【請求項１４】
前記第１グループのパッケージ及び前記第２グループのパッケージの少なくとも１つを上書き可能に指定するステップを更に備える、請求項１３に記載の方法。
【請求項１５】
前記第１グループのパッケージ及び前記第２グループのパッケージの少なくとも１つが上書き可能であることを示す指定メッセージを、前記第１ネットワークノード及び前記第２ネットワークノードの対応する少なくとも１つに分配するステップを更に備える、請求項１４に記載の方法。
【請求項１６】
前記直線的コンテンツオブジェクトのプレイバックの要求の減少数の指示を受けるステップであって、前記直線的コンテンツオブジェクトのプレイバックの要求の減少数の前記指示に応じて前記指定メッセージが分配されるステップを更に備える、請求項１５に記載の方法。
【請求項１７】
前記コンテンツプッシャーにおいて、コンテンツオブジェクトパッケージが分配されるべきネットワークノードを識別するステップを更に備える、請求項１３〜１６のいずれか一項に記載の方法。
【請求項１８】
前記第１グループのパッケージ及び／又は前記第２グループのパッケージを分配するステップが、伝搬による分配によって実行される、請求項１３〜１７のいずれか一項に記載の方法。
【請求項１９】
前記ディジタルコンテンツ配信システムのネットワークノードによってアクセス可能なトラッキングファイルを、前記コンテンツオブジェクトに対して作成するステップを更に備える、請求項１３〜１８のいずれか一項に記載の方法。
【請求項２０】
前記トラッキングファイルを、前記コンテンツオブジェクトの１つ以上のグループのパッケージが分配されたネットワークノードに格納するステップを更に備える、請求項１９に記載の方法。
【請求項２１】
前記トラッキングファイルは、前記コンテンツオブジェクトに関連づけられたコンテンツ参照識別子ＣＲＩＤを、前記コンテンツオブジェクトの１つ以上のグループのパッケージが格納されるネットワークノードに関連づける、請求項１９又は２０に記載の方法。
【請求項２２】
トラッキングファイルを格納するネットワークノードにＣＲＩＤを関連づけるトラッキングインデックスを生成するステップを更に備える、請求項１９〜２１のいずれか一項に記載の方法。
【請求項２３】
コンテンツオブジェクトのパッケージのグループを組み合わるステップを更に備える、請求項１３〜２２のいずれか一項に記載の方法。
【請求項２４】
前記直線的コンテンツのプレイバックを要求した第３ネットワークノードに応じて、該第３ネットワークノードの順序付きプレイバックのために、前記第１ネットワークノード及び第２ネットワークノードから、前記グループのパッケージを取り出すステップを更に備える、請求項１３〜２３のいずれか一項に記載の方法。
【請求項２５】
命令を格納するコンピュータ可読媒体を備えるコンピュータプログラム製品であって、前記命令は、汎用コンピュータによって実行されると請求項１３に記載された方法を行なう、コンピュータプログラム製品。